(57)【要約】【課題】  従来のダイスライド方式のものにおいて、成型された基材を一旦金型から取り出した後、成膜装置で成膜したものを金型に再セットし、成膜面に射出するという手間がかかる。しかも、前記成膜工程において、基材の成膜形成部分に手が触れたりして不良品となるため、基材の取り扱いには慎重を期す必要があって作業性が悪く、歩留まりも低いという問題がある。【解決手段】  基材３の成膜側面３ａに形成した成膜１０の表面を被覆材４で被覆した中実の成膜成型品９を製造して成膜１０を保護するにあたり、基材３を射出成形するための第一の射出成形の工程と、該基材３、被覆材４とを一体化するための第二の射出工程とのあいだに、成膜１０する成膜工程を設けて一連のダイスライド方式により成膜成型品９が形成できるようにした。【選択図】        図３
2006168160.tif 000002
【特許請求の範囲】
【請求項１】
金型面同志の対向方向の離接移動と面方向に沿った平行移動とが相対的に行われるように構成した第一と第二の金型を備え、
該両金型に形成の第一成形品成型用の型面同志を突き合わせた後、第一成形品を成形するための第一の射出工程と、
該成形された第一成形品を第一金型に支持する状態で第二金型から脱型する第一の脱型工程と、
前記第一成形品を第二金型に設けた成膜形成手段に対向するよう突き合わせて第一成形品に成膜をして成膜第一成形品を形成する成膜工程と、
該成膜第一成形品を第一金型に支持される状態で第二金型から脱型する第二の脱型工程と、
前記成膜第一成形品を第二金型に設けた第二成形品用の型面に突き合わせて成膜第一成形品の少なくとも成膜面に射出して第二成形品を形成する第二の射出工程とを備えて構成されることを特徴とする成膜成型品の製造方法。
【請求項２】
請求項１において、成膜形成手段は真空蒸着装置であることを特徴とする成膜成型品の製造方法。
【請求項３】
請求項１または２において、成膜は、第二金型の脱型により露出した面の一部に形成されることを特徴とする成膜成型品の製造方法。
【請求項４】
請求項３において、一部の成膜は、第二金型で覆ってマスキングすることにより行うことを特徴とする成膜成型品の製造方法。
【請求項５】
請求項３において、一部の成膜は、マスキング材で第一成型品の露出面を覆うことで行うことを特徴とする成膜成型品の製造方法。
【請求項６】
請求項３乃至５の何れかにおいて、成膜は、露出面の縁部に形成しないことを特徴とする成膜成型品の製造方法。
【請求項７】
請求項１乃至５の何れかにおいて、成膜工程は複数あることを特徴とする成膜成型品の製造方法。
【請求項８】
請求項７において、複数の成膜は、成膜位置が異なることを特徴とする成膜成型品の製造方法。
【請求項９】
請求項７において、複数の成膜は、成膜位置の一部あるいは全部が一致することを特徴とする成膜成型品の製造方法。
【請求項１０】
請求項１乃至９の何れかにおいて、成膜工程、第二の脱型工程、第二の射出工程が繰り返されることを特徴とする成膜成型品の製造方法。
【請求項１１】
請求項１０において、先の第二の射出工程は、先の成膜工程で成膜された成膜面の一部を残して行い、繰り返される成膜工程は、先の第二の射出工程で残された成膜面と先の第二の射出工程で射出成形した成形面に行われることを特徴とする成膜成型品の製造方法。
【請求項１２】
請求項１１において、成膜成型品は電気基材であり、成膜面が電気配線となることを特徴とする成膜成型品の製造方法。
【発明の詳細な説明】
【技術分野】
【０００１】
本発明は、成膜部分を樹脂材でサンドイッチ状に積層した成膜成型品の製造方法の技術分野に属するものである。
【背景技術】
【０００２】
一般に、この種成膜成型品のなかには、例えば、車両用のエンブレム等の部材ように、部材表面に着色効果や反射効果等の効果を有する素材で被覆して、意匠性を高めたものがあり、この製造方法として、例えば、部材表面を装飾クロム鍍金皮膜で被覆して形成したものがある（例えば、特許文献１参照。）。
ところで今日、鍍金に使用する六価クロムは人体に有害な物質であって、環境汚染による公害問題を発生することから規制の対象ともなっており、脱クロムが要求されている。
この改善策として、基材表面に真空蒸着やスパッタリング等の成膜装置で成膜を形成し、さらに、該成膜の表面を樹脂材で被覆したものがある（例えば、特許文献２参照。）。
【特許文献１】特開平６−１４７０６９号公報
【特許文献２】特開平６−１６９１９１号公報
【発明の開示】
【発明が解決しようとする課題】
【０００３】
ところがこのようなものは、射出成形した基材を射出成形装置から取り出した後、真空蒸着装置にセットして成膜し、しかる後、成膜した基材を真空蒸着装置から取り出した後、射出成形装置にセットして成膜面に樹脂材を射出成形することになって工程数も多く、手間がかかり、作業能率が悪いだけでなく、取り出し工程、セット工程、装置から装置への搬送工程の際に被成膜面、さらには成膜面に傷や埃がついたり手が触れて油が付着してしまうようなことがあり、これらが原因で所期の成膜製品ができず不良品が発生し歩留まりが悪いという問題があり、ここらに本発明が解決せんとする課題がある。
【課題を解決するための手段】
【０００４】
本発明は、上記の如き実情に鑑みこれらの課題を解決することを目的として創作されたものであって、請求項１の発明は、金型面同志の対向方向の離接移動と面方向に沿った平行移動とが相対的に行われるように構成した第一と第二の金型を備え、該両金型に形成の第一成形品成型用の型面同志を突き合わせた後、第一成形品を成形するための第一の射出工程と、該成形された第一成形品を第一金型に支持する状態で第二金型から脱型する第一の脱型工程と、前記第一成形品を第二金型に設けた成膜形成手段に対向するよう突き合わせて第一成形品に成膜をして成膜第一成形品を形成する成膜工程と、該成膜第一成形品を第一金型に支持される状態で第二金型から脱型する第二の脱型工程と、前記成膜第一成形品を第二金型に設けた第二成形品用の型面に突き合わせて成膜第一成形品の少なくとも成膜面に射出して第二成形品を形成する第二の射出工程とを備えて構成されることを特徴とする成膜成型品の製造方法。
請求項２の発明は、請求項１において、成膜形成手段は真空蒸着装置であることを特徴とする成膜成型品の製造方法である。
請求項３の発明は、請求項１または２において、成膜は、第二金型の脱型により露出した面の一部であることを特徴とする成膜成型品の製造方法である。
請求項４の発明は、請求項３において、一部の成膜は、第二金型で覆ってマスキングすることにより行うことを特徴とする成膜成型品の製造方法。
請求項５の発明は、請求項３において、一部の成膜は、マスキング材で第一成型品の露出面を覆うことで行うことを特徴とする成膜成型品の製造方法である。
請求項６の発明は、請求項３乃至５の何れかにおいて、成膜は、露出面の縁部に形成しないことを特徴とする成膜成型品の製造方法である。
請求項７の発明は、請求項１乃至５の何れかにおいて、成膜工程は複数あることを特徴とする成膜成型品の製造方法である。
請求項８の発明は、請求項７において、複数の成膜は、成膜位置が異なることを特徴とする成膜成型品の製造方法である。
請求項９の発明は、請求項７において、複数の成膜は、成膜位置の一部あるいは全部が一致することを特徴とする成膜成型品の製造方法である。
請求項１０の発明は、請求項１乃至９の何れかにおいて、成膜工程、第二の脱型工程、第二の射出工程が繰り返されることを特徴とする成膜成型品の製造方法である。
請求項１１の発明は、請求項１０において、先の第二の射出工程は、先の成膜工程で成膜された成膜面の一部を残して行い、繰り返される成膜工程は、先の第二の射出工程で残された成膜面と先の第二の射出工程で射出成形した成形面に行われることを特徴とする成膜成型品の製造方法である。
請求項１２の発明は、請求項１１において、成膜成型品は電気基材であり、成膜面が電気配線となることを特徴とする成膜成型品の製造方法である。
【発明の効果】
【０００５】
請求項１の発明または請求項２とすることにより、従来に比べ作業性が良く、歩留まりの高いものとすることができる。
請求項３の発明とすることにより、成膜成型品の意匠性を高めることができる。
請求項４の発明とすることにより、成膜したい部分のみを成膜することができる。
請求項５の発明とすることにより、非成膜部分の形状を容易に変更して成膜することができる。
請求項６の発明とすることにより、第二の射出工程で、第一成型品の露出部の縁部は、直接射出されるため、強固な第二成型品とすることができる。
請求項７の発明とすることにより、異なる成膜を重合状に複数形成することができるため、異なる成膜を重合状に形成することができる。
請求項８の発明とすることにより、彩り豊かで意匠性に優れたものとすることができる。
請求項９の発明とすることにより、成膜成型品を外部から見たとき、第一成型品側と第二成型品側とでは、異なる配色とすることができる。
請求項１０の発明とすることにより、第一成型品の上に成膜と第二成型品とを交互に重合させたものとすることができる。
請求項１１の発明とすることにより、成膜は、一連上に繋がった構成とすることができる。
請求項１２の発明とすることにより、配線に用いる金属の量が少なく、無駄のない電気基材を容易に形成することができる。
【発明を実施するための最良の形態】
【０００６】
次ぎに、本発明の第一の実施の形態について図１〜５に基づいて説明する。図面において、１は可動金型（第一金型）、２は固定金型（第二金型）であって、可動金型１は、固定金型２に対して対向方向に離接移動できると共に、固定金型２から離間した状態で固定金型２に対して面に沿う方向の移動（金型面に対する平行移動）ができるように構成されているが、移動機構の詳細については、従来から知られた金型移動方式の技術を用いて実行できるので省略する。尚、金型の移動は相対的なものでよいから、第一金型を固定、第二金型を移動させるように構成してもよく、また両者を移動するように構成しても勿論良い。また移動は、面に沿う方向の移動であれば、直線方向の平行移動に限らず、軸を中心とする回転移動であっても良いものである。
【０００７】
前記可動金型１には、基材３（第一成型品）を射出成形するための凹型状をした射出用成型面１ａが形成される一方、固定金型２には、前記基材３の成膜側面３ａ（内側面）を射出成形するため平面状になった第一の射出用成型面２ａと被覆材４（第二成型品）を射出形成するため凹型状をした第二の射出用成型面２ｂとがそれぞれ形成されると共に、さらに真空蒸着装置（成膜形成手段、成膜装置）５を収容（内装）するため凹型状をした成膜用成型面２ｃが形成されている。ちなみに本実施の形態の固定金型２は、成膜用成型面２ｃが第一射出用成型面２ａと第二射出用成型面２ｂとのあいだに形成されているが、これら型面の配置は必要において任意に設定できるものである。また、前記真空蒸着装置５は公知のものが設けられるが、その概略として、真空ポンプＰに接続される吸気路６、蒸着する金属（例えばアルミニウムやクロム）を入れるボート７、該ボート７を加熱するためのヒータ８とを備えて構成されている。
【０００８】
成膜成型品９は、本実施の形態では車両用のエンブレムであって、前記金型１、２を用いて後述するように一連の工程で成型されるものであるが、樹脂材の射出成型により形成される基材３と、透光性を有する樹脂材の射出成型により形成される被覆材４と、これら基材３、被覆材４によってサンドイッチ状に挟まれた位置に真空蒸着により形成される成膜１０とからなっていて成膜１０が剥がれにくく、意匠性に優れた構成となっている。
【０００９】
次に、成膜成型品９の製造方法について説明する。図２(Ａ）は両金型１、２について、基材３を形成する射出用成形面１ａ、第一射出用成型面２ａ同志が互いに離間する状態で対向したものを示しており、この離間状態から可動金型１を固定金型２側に移動して前記対向する型面同志が型合わせされる（第一の型合わせ工程：図２（Ｂ）参照）。この型合わせ状態で、第一の射出が行われて基材３（第一成型品）が射出成形される（第一の射出工程：図２（Ｃ）参照）。
【００１０】
しかる後、図３（Ａ）に示すように、可動金型１が固定金型２から離間する方向に移動するが、このとき、基材３は、固定金型２から離間（脱型）して可動金型１側に支持される（残る）ように型設計されている（第一の脱型工程）。次いで可動金型１は、基材３が真空蒸着装置５と対向するよう平行移動（図３（Ｂ）参照）した後、固定金型２側に移動して型合わせ状態となる（第二の型合わせ工程：図３（Ｃ）参照）。
【００１１】
そして、前記基材３と真空蒸着装置５とが対向した型合わせ状態となると、成膜用成型面２ｃ内の空気が吸気路６から抜かれて内部が真空状態になると共に、加熱したヒータ８によりボート７に供給され、溶融した金属が蒸気化することになって基材３の露出する成膜側面３ａ（図４(Ａ)の下面）が真空蒸着されて成膜１０が形成される（成膜工程：図４（Ａ）参照）。次いで可動金型１を、基材３を支持したまま固定金型２から離間させた（第二の離型工程：図４（Ｂ）参照）後、可動金型１を固定金型２に対して平行移動させて基材３と第二射出用成型面２ｂとを対向させる（図４（Ｃ）参照）。
因みに、成膜１０は、一般には膜厚が数マイクロメートル〜数十マイクロメートル程度と薄いものであるため、例えば断面図で示そうとしたときに、事実上これを図示することは難しく、そこでこれを判りやすくするため、図面では便宜上それなりの厚みを持たせたものとして記載しているが、実際には被成膜面と殆んど同一面となっている（以下同じ）。このため後述するように、成膜を部分的に積層したものである場合、図面（例えば図１１（Ｃ）の断面図）では積層部位が段差状に厚くなって記載されていたとしても、これらは肉眼視したときに段差状ではなく殆んど面一状にしか見えないものであることはいうまでもない。
また、膜厚については、蒸着時間を長短調整することにより任意に調整できるものであることもいうまでもない。
【００１２】
しかる後、可動金型１を固定金型２側に移動させて、前記対向する基材３と第二射出用成型面２ｂを型合せ（第三の型合わせ工程：図５（Ａ）参照）した後、成膜１０を形成した成膜側面３ａに樹脂材を射出し（第二の射出工程：図５Ｂ）参照）て被覆材４（第二成型品）を形成し、これによって基材３、成膜１０、そして被覆材４が一体化された成膜成型品９となる。そして可動金型１が固定金型２から離間し、あわせて前記成膜成型品９の取り出し（図５（Ｃ）参照）した後、可動金型１を図２（Ａ）の最初の位置まで平行移動し、以降、この工程を繰り返すことで、成膜成型品９が連続して成形できるようになっている。
【００１３】
叙述の如く構成された本発明の第一の実施の形態において、基材３の成膜側面３ａに形成した成膜１０の表面を被覆材４で被覆した中実の成膜成型品９を製造して成膜１０を保護するにあたり、基材３を射出成形するための第一の射出成形の工程と、該基材３、被覆材４とを一体化するための第二の射出工程とのあいだに、成膜１０する成膜工程を設けて一連の工程により成膜成型品９が形成できるようにした結果、従来のように、一旦、金型から取り出した基材３に成膜１０を形成し、しかる後、再び金型にセットして被覆材４で被覆しなければならない従来の場合のように、基材３の取り出し、再セットの作業が不要になって作業能率が向上する。しかも基材３の取り出し、再セットがないため、成膜面に手が触れて指紋がついたり物に当って傷がついたりようなこともなく、一連の工程が全てクリーンルームでもできることになって不良品発生を大幅に低減できる。
【００１４】
尚、本発明は前記実施の形態に限定されないものであって、成膜形成手段としては、真空蒸着装置５に限定されず、例えば陰極スパッタリングによる方法等、通常知られた成膜形成装置を必要において採用することができる。
【００１５】
また前記第一の実施の形態では、基材３の成膜側面３ａの全面に成膜１０を施し、その全成膜１０面を被覆材４で被覆した成膜成型品９の形成であったが、成膜１０が樹脂材と接着性が悪いものである場合、剥離が考えられ、そこで成膜成型体１１について、図６に示すように基材１４の周縁に被覆材１７が入り込むことで樹脂材同志が直接接触して強固に接着するように構成することができる。
この第二の実施の形態は、同じく固定金型１２と可動金型１３とを有するが、固定金型１２には可動金型１３の周縁部１３ａに入り込む凸型面１２ａが形成されている。そして基材１４の周面１４ａを該凸型面１２ａで成型（図7（Ａ）参照）した後、真空蒸着装置１５により基材１４の成膜側面１４ｂを真空蒸着（図7（Ｂ）参照）して成膜１６を施し、しかる後、該成膜した面および周面１４ａに被覆材１７を射出して中実の成膜成型品１１を形成するようにようにしたものである（図７（ｃ）参照）。尚、可動金型１３の移動については前記第一の実施の形態に準じるものであるので、その詳細については省略してある（以下同じ）。
【００１６】
また、前記第一または第二の実施の形態では、基材３、１４の成膜側面３ａ、１４ｂの全体に成膜１０、１６を施していたが、図８に示すように、基材１８の成膜側面１８ａの周縁部等、一部をマスキングして部分的に成膜４８を施さない部分（非成膜部）１８ｂを有するようにして成膜成型品１９を形成することができる。そしてこの場合に、マスキングは、図９(Ａ)に示す第三の実施の形態のように真空蒸着装置２０を収容する固定金型２１の成膜用成型面２１ａの周縁２１ｂで行うことができ、また図９(Ｂ)に示す第四の実施の形態のようにマスキング材２２を取付けて行うことができる。そしてマスキング材２２を用いる場合、第一の脱型の工程から第二の型合わせ工程のあいだにマスキング材２２を基材１８の成膜側面１８ａに被覆することで行うことができる。
そしてこのようにマスキングをした場合、基材１８と被覆材２３とが、非成膜部１８ｂで直接接触して互いに樹脂同志の接着がなされることになって強度アップが達成できることになる。
【００１７】
またさらに、前記第一〜第四の実施の形態のものは、成膜工程が一回であったが、これに限定されず、二回以上の複数回行うようにすることができる。例えば図１０（Ａ）に示すように、二組の真空蒸着装置２４、２５をそれぞれ固定金型２６に形成した成膜用型面２６ａ、２６ｂに内装し、第一の射出工程で成型した基材２７の成膜側面２７ａに第一の成膜工程で第一の成膜を施した後、第二の成膜工程で第二の成膜を施し、しかる後、第二の射出工程で成膜表面を被覆材２８で被覆するようにして形成することができる。
【００１８】
この場合に、第五の実施の形態のように、第一の成膜２９の全面に第二の成膜３０を施した（図１０（Ｂ）参照）場合には、成膜成型品３１の表裏が異なる成膜となって目視される（基材および被覆材が透光材である場合に限る）ことになる。また第六の実施の形態のように、第一の成膜３２と第二の成膜３３との成膜位置について、前記マスキングをすることで異ならしめるように施した（図１１（Ａ）、（Ｂ）参照）場合、成膜成型品３４の表面から二つの異なった成膜３２、３３が目視されることになる。さらにまた、第七の実施の形態のように、第一の成膜３５と第二の成膜３６との成膜位置について、前記マスキングをすることで一部が重なったように施した（図１１（Ｃ）、（Ｄ）参照）場合において、第二の成膜３６の膜厚が薄く、第一の成膜３５が透けて目視されるもののであるときには、成膜成型品３７の表面からは、第一、第二の成膜３５、３６と、両成膜３５、３６が混じったものとの三つの異なった成膜が目視されることになる。
この場合に、一つの成膜用型面に二つ以上の真空蒸着装置を内装し、連続して複数の成膜をするようにしても実施することができる。
因みに、第一の成膜３５と第二の成膜３６とが重なっている部分は、図１１(Ｃ)に示すように、重合状になっているが、真空蒸着する時間を制御して、成膜の厚みを非常に薄いものとすることによって、第一、第二の成膜３６と略面一状に形成することができる。
【００１９】
さらにまた、第八の実施の形態のように、第一の実施の形態に準じる成膜工程と第二の脱型工程と第二の射出工程とを繰り返して行うことができ、この場合に、成膜３８と樹脂材の射出とを、第四の実施の形態のように、マスキングする等して成膜位置は異ならしめた状態で単純に重合するように繰り返す（図１２（Ａ）、（Ｂ）参照）ことができ、この場合には、成膜３８が立体的な状態で目視される成膜成型品３９となる。
【００２０】
また、成膜工程と第二の脱型工程と第二の射出工程とを繰り返す場合に、先の第二の射出工程は、先の成膜工程で成膜された第一の成膜４０の一部を残して行い、繰り返される成膜工程は、先の第二の射出工程で残された第一の成膜４０と先の第二の射出工程で射出成形した第二の基材４１の成形側面４１ａに行われるようにすることができる。つまり図１３、図１４（Ａ）、（Ｂ）に示す第九の実施の形態のように、第一の射出工程で形成される第一の基材４２に、成膜工程で線状（または帯状、以下同じ）の第一の成膜４０を真空蒸着し、該第一の成膜４０の一端部を露出する（残す）ように第一の基材４２の成膜面側４２ａに第二の基材４１を、射出形成する。次いで、再び成膜工程が繰り返され、第二基材４１の成膜面側４１ａから第一の成膜４０に連通する線状の第二の成膜４３が形成される。さらに、続く第三の射出工程では、第二の成膜４３の成膜面側４１ａ側の一端を残して、成膜面側４１ａに第三の射出工程がなされ第三の基材４４が形成され、これに続く成膜工程で、第三の基材４４の成膜面側４４ａから第二の成膜４３に連通する第三の成膜４５が形成された後、露出している第三の成膜４５、第二、第三の基材４１、４４を、被覆材４６で被覆して、成膜成型品４７が形成される。そしてこのように形成することで、三次元方向での立体的な成膜成型品を成型することができる。
【００２１】
因みに、本実施の形態では、上下方向にのみ階層状になっているが、前後、左右等いずれの方向にも階層状となる構成とすることができる。また、第一、第二、第三の成膜４０、４３、４５は、ともに直線状のものであるが、それぞれ、Ｌ字状、Ｔ字状、Ｙ字状、湾曲状等さまざまな分岐形状とすることもでき（図１４（Ｃ）参照）、さらに、成膜を金、銀、銅等の導電性金属で形成することにより電気配線となって、成膜成型品４７を電気基板とすることができる。この結果、成膜４０、４３、４５は、従来の電気配線に比べ薄く形成できるため、コスト削減ができ、さらに、マスキングする等して様々な形状とすることができるため、必要に応じた回路基板を容易に形成できる。
【図面の簡単な説明】
【００２２】
【図１】（Ａ）、（Ｂ）はそれぞれ成膜成型品の斜視図、縦断面図である。
【図２】（Ａ）、（Ｂ）、（Ｃ）は第一の射出をするまでの工程概略図である。
【図３】（Ａ）、（Ｂ）、（Ｃ）は第二の突合せまでの工程概略図である。
【図４】（Ａ）、（Ｂ）、（Ｃ）は基材と固定金型の凹型面とが対向するまでの工程概略図である。
【図５】（Ａ）（Ｂ）（Ｃ）は成膜成型品の取出しまでの工程概略図である。
【図６】第二の実施の形態の成膜成型品の縦断面図である。
【図７】（Ａ）、（Ｂ）、（Ｃ）はそれぞれ第二の実施の形態の第一射出工程、成膜工程、第二射出工程の概略図である。
【図８】（Ａ）、（Ｂ）はそれぞれ第三または第四の実施の形態の側面図、平面図である。
【図９】（Ａ）、（Ｂ）はそれぞれ第三の実施の形態における成膜工程、第四の実施の形態における成膜工程の概略図である。
【図１０】（Ａ）、（Ｂ）はそれぞれ第五の実施の形態における成膜工程の概略図、成膜成型品の縦断面図である。
【図１１】（Ａ）、（Ｂ）はそれぞれ第六の実施の形態の成膜成型品の横断面図、正面図、（Ｃ）、（Ｄ）はそれぞれ第七の実施の形態の成膜成型品の横断面図、正面図である。
【図１２】（Ａ）、（Ｂ）はそれぞれ第八の実施の形態における成膜工程の概略図、成膜成型品の側面図である。
【図１３】（Ａ）、（Ｂ）、（Ｃ）はそれぞれ第九の実施の形態の成膜成型品の正面図、側面図、図１３（Ａ）のＸ−Ｘ断面図である。
【図１４】（Ａ）、（Ｂ）、（Ｃ）はそれぞれ第九の実施の形態における成膜成型品の工程概略図である。
【符号の説明】
【００２３】
１      可動金型
１ａ    射出用成型面
２      固定金型
２ａ    第一の射出用成型面
２ｂ    第二の射出用成型面
２ｃ    成膜用成型面
３      基材
３ａ    成膜側面
４      被覆材
５      真空蒸着装置
９      成膜成型品
１０    成膜
１１    成膜成型体
１２    固定金型
１３    可動金型
１４    基材
１７    被覆材
１８    基材
４８    成膜
１８ｂ  非成膜部
１９    成膜成型品
２０    真空蒸着装置
２１    固定金型
２１ｂ  周縁
２２    マスキング材
２３    被覆材
２４、２５    真空蒸着装置
２６    固定金型
２６ａ、２６ｂ  成膜用型面
２７    基材
２７ａ  成膜側面
２８    被覆材
２９、３０    成膜
３１    成膜成型品
３２、３３    成膜
３４    成膜成型品
３５、３６    成膜
３７    成膜成型品
３８    成膜
３９    成膜成型品
４０、４３、４５        成膜
４１ａ、４２ａ、４４ａ  成形側面
４１、４２、４４        基材
４６                    被覆材
４７                    成膜成型品
【図１】
2006168160.tif 000003
【図２】
2006168160.tif 000004
【図３】
2006168160.tif 000005
【図４】
2006168160.tif 000006
【図５】
2006168160.tif 000007
【図６】
2006168160.tif 000008
【図７】
2006168160.tif 000009
【図８】
2006168160.tif 000010
【図９】
2006168160.tif 000011
【図１０】
2006168160.tif 000012
【図１１】
2006168160.tif 000013
【図１２】
2006168160.tif 000014
【図１３】
2006168160.tif 000015
【図１４】
2006168160.tif 000016